(57)【要約】      （修正有）【課題】音響効果を向上させたオルゴール装置を提供する。【解決手段】オルゴール装置１０は、後方側に配置された後方板と、後方板から前方側に延び、下側に配置された下側板１４と、後方板から前方側に延び、上側に配置された上側板１６と、後方板から前方側に延び、一方の側部に配置された第１の側板１８Ｌと、後方板から前方側に延び、他方の側部に配置された第２の側板１８Ｒと、を備え、前方が開口したオルゴール装置１０であって、下側板１４にオルゴールムーブメントが固定されている。【選択図】図１
2015228007.tif 000002
【特許請求の範囲】
【請求項１】
後方側に配置された後方板と、
前記後方板から前方側に延び、下側に配置された下側板と、
前記後方板から前方側に延び、上側に配置された上側板と、
前記後方板から前方側に延び、一方の側部に配置された第１の側板と、
前記後方板から前方側に延び、他方の側部に配置された第２の側板と、を備え、前方が開口したオルゴール装置であって、
前記下側板にオルゴールムーブメントが固定されたオルゴール装置。
【請求項２】
請求項１記載のオルゴール装置において、
前記下側板及び前記上側板を連結する連結部材を更に備えたオルゴール装置。
【請求項３】
請求項２記載のオルゴール装置において、
前記下側板の上に取り付けられるベース板を更に備え、
前記オルゴールムーブメントが前記ベース板を介して前記下側板に取り付けられているオルゴール装置。
【請求項４】
請求項３記載のオルゴール装置において、
前記上側板又は前記下側板の前方側の端部の幅が前方に向かうに従って小さくなっているオルゴール装置。
【請求項５】
請求項４記載のオルゴール装置において、
前記後方板に形成されたねじ孔に背面側からねじ込まれることによって進出し、前記オルゴールムーブメントの動作を停止させるストッパを更に備えるオルゴール装置。
【請求項６】
内部に空間が形成され、前方が開口したオルゴール装置であって、
前記空間にオルゴールムーブメントが配置されたオルゴール装置。
【発明の詳細な説明】
【技術分野】
【０００１】
本発明は、オルゴール装置に関する。
【背景技術】
【０００２】
特許文献１には、共鳴空間を構成することにより音響効果および音量を従来のオルゴール箱と比較して格段に向上させたオルゴール箱が記載されている。このオルゴール箱は、箱体と、箱体に取付けられ後述するオルゴールの音響に共振する共振板と、共振板に取付けられたオルゴールとより構成し、共振板と箱体とによって共鳴空間を形成し、かつ、共鳴空間を構成する壁面の一部にオルゴールからの音響を外部に放射する開口を設けたことを特徴としている。
【先行技術文献】
【特許文献】
【０００３】
【特許文献１】特開２００１−１０９４６７号公報
【発明の概要】
【発明が解決しようとする課題】
【０００４】
本発明は、音響効果を向上させたオルゴール装置を提供することを目的とする。
【課題を解決するための手段】
【０００５】
前記目的に沿う第１の発明に係るオルゴール装置は、後方側に配置された後方板と、
前記後方板から前方側に延び、下側に配置された下側板と、
前記後方板から前方側に延び、上側に配置された上側板と、
前記後方板から前方側に延び、一方の側部に配置された第１の側板と、
前記後方板から前方側に延び、他方の側部に配置された第２の側板と、を備え、前方が開口したオルゴール装置であって、
前記下側板にオルゴールムーブメントが固定されている。
【０００６】
第１の発明に係るオルゴール装置において、
前記下側板及び前記上側板を連結する連結部材を更に備えることが好ましい。
【０００７】
第１の発明に係るオルゴール装置において、
前記下側板の上に取り付けられるベース板を更に備え、
前記オルゴールムーブメントが前記ベース板を介して前記下側板に取り付けられていることが好ましい。
【０００８】
第１の発明に係るオルゴール装置において、
前記上側板又は前記下側板の前方側の端部の幅が前方に向かうに従って小さくなっていることが好ましい。
【０００９】
第１の発明に係るオルゴール装置において、
前記後方板に形成されたねじ孔に背面側からねじ込まれることによって進出し、前記オルゴールムーブメントの動作を停止させるストッパを更に備えていてもよい。
【００１０】
前記目的に沿う第２の発明に係るオルゴール装置は、内部に空間が形成され、前方が開口したオルゴール装置であって、
前記空間にオルゴールムーブメントが配置されている。
【発明の効果】
【００１１】
本発明によれば、音響効果を向上させたオルゴール装置を提供できる。
【図面の簡単な説明】
【００１２】
【図１】本発明の一実施の形態に係るオルゴール装置の斜視図である。
【図２】同オルゴール装置の平面図である。
【図３】同オルゴール装置の底面図である。
【図４】同オルゴール装置の左側面図である。
【図５】同オルゴール装置の右側面図である。
【図６】同オルゴール装置の正面図である。
【図７】同オルゴール装置の背面図である。
【図８】同オルゴール装置が有する背面板を取り外した状態を示す背面図である。
【発明を実施するための形態】
【００１３】
続いて、添付した図面を参照しつつ、本発明を具体化した実施の形態につき説明し、本発明の理解に供する。なお、図において、説明に関連しない部分は図示を省略する場合がある。
【００１４】
本発明の一実施の形態に係るオルゴール装置１０は、図１に示すように、内部に空間Ｓが形成され、前方が開口している。空間ＳにはオルゴールムーブメントＯＭ（図２及び図６参照）が配置されている。
【００１５】
詳細には、オルゴール装置１０は、図１〜図７に示すように、後方板１２、下側板１４、上側板１６、左側板１８Ｌ、右側板１８Ｒ、連結部材２０（図２及び図６参照）、ベース板２２、及びオルゴールムーブメントＯＭを備えている。
【００１６】
後方板１２は、図７に示すように、横方向に長い板状の部材である。後方板１２には、図２に示すように、ねじ孔１２１が形成されている。このねじ孔１２１には、オルゴールムーブメントＯＭの動作を停止するためストッパ３０が挿入される。ストッパ３０は、雄ねじが形成された取手３０２と、取手３０２から延びるピン３０４を有している。
後方板１２の上側の端部及び下側の端部には、図４に示すように、それぞれ突起部１２２ａ、１２２ｂが形成されている。これら突起部１２２ａ、１２２ｂは、下側板１４及び上側板１６にそれぞれ形成された、左右方向に延びる溝１４２及び溝１６２に差し込まれ、後方板１２を右側（図７に示す矢印参照）にスライドさせることによって取り外すことができる。
【００１７】
下側板１４は、後方板１２から前方側に延び、図１に示すように、下側に配置された板状の部材である。下側板１４の前方側の端部１４４は湾曲して左側板１８Ｌ及び右側板１８Ｒよりも突出しており、この端部１４４の幅が前方に向かうに従って小さくなっている。
下側板１４の下面の角部には、図３に示すように、それぞれ、脚部材５４が取り付けられている。なお、４つの脚部材５４のうち、少なくとも１つはアジャスタとなっている。
【００１８】
上側板１６は、後方板１２から前方側に延び、図１に示すように、上側に配置された板状の部材である。上側板１６の前方側の端部１６４は湾曲して左側板１８Ｌ及び右側板１８Ｒよりも突出しており、この端部１６４の幅が前方に向かうに従って小さくなっている。
なお、上側板１６及び下側板１４の前方側の端部１４４、１６４がともに突出し、端部１４４、１６４の幅が前方に向かうに従って小さくなっていることが好ましいが、上側板１６及び下側板１４のうち、いずれか一方の前方側の端部のみが突出し、端部の幅が前方に向かうに従って小さくなっていてもよい。
【００１９】
右側板（第１の側板の一例）１８Ｒは、後方板１２から前方側に延び、正面から見て右側（一方の側部）に配置された板状の部材である。
左側板（第２の側板の一例）１８Ｌは、後方板１２から前方側に延び、正面から見て左側（他方の側部）に配置された板状の部材である。
隣接する下側板１４、上側板１６、左側板１８Ｌ及び右側板１８Ｒは、組接ぎにより接合されることが好ましい。組接ぎにより接合されることによって、音質が安定する。
【００２０】
連結部材２０は、図６に示すように、下側板１４及び上側板１６を連結する柱状の部材である。連結部材２０が下側板１４及び上側板１６を連結することによって、音響効果が向上する。
なお、後方板１２、下側板１４、上側板１６、左側板１８Ｌ、右側板１８Ｒ、及び連結部材２０の材質は、同じ種類の木材であることが好ましい。
【００２１】
オルゴールムーブメントＯＭは、演奏をするための機械部分である。オルゴールムーブメントＯＭは、シリンダ、櫛歯、及びゼンマイ等を有している。オルゴールムーブメントＯＭは、図２に示すように、平面視して連結部材２０と後方板１２との間に配置されている。オルゴールムーブメントＯＭはベース板２２の上に載り、ベース板２２は、図３に示す木製のねじ５０によって下側板１４に固定される。すなわち、オルゴールムーブメントＯＭは、ベース板２２を介して下側板１４に固定される。ベース板２２の材質は、下側板１４の木材よりも硬い木材であることが好ましい。
オルゴールムーブメントＯＭは、後方板１２に形成されたねじ孔にストッパ３０がねじ込まれると、ピン３０４が進出し、演奏（動作）が停止する。
【００２２】
次に、オルゴール装置１０の使用方法について説明する。
オルゴール装置１０の音楽は、図３に示すハンドル５２を用いてゼンマイを巻くことによって演奏される。ストッパ３０をねじ込んでピン３０４を内部に向かって進出させると、ピン３０４がオルゴールムーブメントＯＭの駆動部に接触し、オルゴールの演奏が停止する。
【００２３】
オルゴール装置１０のオルゴールムーブメントＯＭは、交換することが可能である。オルゴールムーブメントＯＭの交換手順は以下の通りである。
【００２４】
（ステップＳ１）
後方板１２を背面側から見て右方向（図７に示す矢印の方向）にスライドさせ、取り外す（図８参照）。
【００２５】
（ステップＳ２）
ねじ５０を取り外してベース板２２ごとオルゴールムーブメントＯＭを下側板１４から取り外す。
【００２６】
（ステップＳ３）
別のベース板に載ったオルゴールムーブメントＯＭを下側板１４に取り付け、ねじ５０にて固定する。
【００２７】
（ステップＳ４）
ステップＳ１にて取り外した後方板１２を、図４に示す溝１４２、１６２に挿入して取り付ける。
【００２８】
このように、オルゴール装置１０においては、オルゴールムーブメントＯＭを取り替えることで、ユーザは好きな曲を楽しむことができる。
【００２９】
以上、本発明の実施の形態を説明したが、本発明は、上記した形態に限定されるものでなく、要旨を逸脱しない条件の変更等は全て本発明の適用範囲である。
【符号の説明】
【００３０】
１０：オルゴール装置、１２：後方板、１４：下側板、１６：上側板、１８Ｌ：左側板、１８Ｒ：右側板、２０：連結部材、２２：ベース板、３０：ストッパ、５２：ハンドル、１２１：ねじ孔、１２２ａ、１２２ｂ：突起部、１４２、１６２：溝、３０２：取手、３０４：ピン、５４：アジャスタ、Ｓ：空間、ＯＭ：オルゴールムーブメント
【図１】
2015228007.tif 000003
【図２】
2015228007.tif 000004
【図３】
2015228007.tif 000005
【図４】
2015228007.tif 000006
【図５】
2015228007.tif 000007
【図６】
2015228007.tif 000008
【図７】
2015228007.tif 000009
【図８】
2015228007.tif 000010